(57)【特許請求の範囲】
【請求項１】
外装体内に設けた有底状の容器と、前記容器の発熱部に固着した加熱装置と、カバーに絶縁材を介して載置された温度センサーを設けた温度検知素子と、前記温度検知素子からの電気的信号で前記加熱装置への通電を制御す制御基板とを備えるとともに、前記絶縁材で覆われた前記温度センサーの形状に沿う略Ｕ字形の横長の凹部を前記容器の略中央底面の感熱部に設け、前記温度センサ−を前記凹部に押圧付勢する付勢部材で装着固定した電気湯沸かし器。
【請求項２】
外装体内に設けた有底状の容器と、前記容器の発熱部に固着した加熱装置と、カバーに絶縁材を介して載置された温度センサーを設けた温度検知素子と、前記温度検知素子からの電気的信号で前記加熱装置への通電を制御する制御基板とを備えるとともに、前記絶縁材で覆われた前記温度センサーおよび前記温度センサーリード部の形状に沿う略Ｕ字形の横長の凹部を前記容器の略中央底面の感熱部に設け、前記温度センサ−を前記凹部に押圧付勢する付勢部材で装着固定した電気湯沸かし器。
【請求項３】
カバーに突起部を設け、絶縁材で覆われた温度センサーリード部を感熱部の凹部に押圧付勢した請求項２記載の電気湯沸かし器。
【請求項４】
カバーに平面部を設け、容器の感熱部に設けた凹部周囲の平面部に近接させた請求項１または請求項２に記載の電気湯沸かし器。
【請求項５】
カバーに溝部を設け、絶縁材で覆われた温度センサーと前記カバーとの隙間を設けた請求項１または請求項２に記載の電気湯沸かし器。
【請求項６】
カバーに設けた遮蔽リブで温度センサーリード部とリード線を接続するカシメ部を絶縁する請求項１または請求項２に記載の電気湯沸かし器。
【請求項７】
絶縁材と温度センサーとの間に良熱伝導性の材料を充填した請求項１または２に記載の電気湯沸かし器。
【請求項８】
容器の感熱部に設けた凹部と絶縁材で覆われた温度センサーとの間に良熱伝導性の絶縁シートを設けた請求項１または請求項２に記載の電気湯沸かし器。
【請求項９】
カバーに筒状の遮熱リブを設けた請求項１または請求項２に記載の電気湯沸かし器。
【発明の詳細な説明】
【０００１】
【発明の属する技術分野】
本発明は、容器の感熱部に温度検知素子を設けた電気湯沸かし器に関するものである。
【０００２】
【従来の技術】
従来の電気湯沸かし器は、例えば図８、図９に示すような構成になっていた。すなわち、図に示すように、１は外装体２内に設けた有底状の容器で、容器１の底面の加熱部１ａには加熱装置３を固定し、容器１の略中央底面の感熱部１ｂには温度検知素子４を載置している。５は温度検知素子４からの電気的信号で加熱装置３への通電を制御する制御基板である。温度検知素子４は、平面部６ａとＵ字状の凹部６ｂを一体的に板状の金属で形成した感熱板６と、Ｕ字状の凹部６ｂと隙間を有して周囲を覆うカバー９で構成され、感熱板６にはフランジ６ｃを設け加熱装置３からの温度センサー８への輻射熱の影響を調整するとともに、感熱板６の位置をカバー９に決めている。このカバー９の上面には、突起部９ａを設け、この突起部９ａで感熱板６を支持し感熱板６とカバー９の間に隙間を設けている。感熱板６に設けたＵ字状の凹部６ｂに絶縁材７を介して装着した温度センサー８を載置した温度検知素子４は、カバー９を介して容器１の略中央底面の感熱部１ｂに押圧付勢する付勢部材１０で装着固定したものであった。
【０００３】
【発明が解決しようとする課題】
しかし、このような従来の電気湯沸かし器の構成では、温度検知素子４を載置している容器１の略中央底面の感熱部１ｂを平面で形成しているため、絶縁材７で覆われた温度センサー８と容器１の感熱部１ｂが限られた部分のみで接触している。また、温度センサー８および感熱板６と、温度検知素子４近傍が遮蔽されていないため、加熱装置３の放熱により温度検知素子４近傍の雰囲気温度が高くなると、温度センサー８への輻射熱の影響の調整には限界が生じる。このため、温度センサー８の温度検知構成では、沸騰時間が長く、排出する蒸気量が多い、などの課題を有していた。
【０００４】
本発明はこのような従来の課題を解決するものであり、安価な構成で、しかも容器の温度をより正確に検知することにより、沸騰時間が短く、排出する蒸気量の少ない使い勝手の良い電気湯沸かし器を提供することを目的とする。
【０００５】
【課題を解決するための手段】
上記の課題を解決するために、本発明は、絶縁材で覆われた温度センサーの形状に沿う略Ｕ字形の横長の凹部を容器の略中央底面の感熱部に設けたものであり、絶縁材で覆われた温度センサーと容器の感熱部との接触面を最大限に大きくする。さらに、温度センサーと温度検知素子近傍を最大限遮蔽することにより、温度センサーへの輻射熱の影響を受けにくい構成とし、容器の温度をより正確に検知することができ、沸騰時間を短縮して排出する蒸気量を低減できる。
【０００６】
【発明の実施の形態】
本発明の請求項１記載の発明は、外装体内に設けた有底状の容器と、前記容器の発熱部に固着した加熱装置と、カバーに絶縁材を介して載置された温度センサーを設けた温度検知素子と、前記温度検知素子からの電気的信号で前記加熱装置への通電を制御する制御基板とを備えるとともに、前記絶縁材で覆われた前記温度センサーの形状に沿う略Ｕ字形の横長の凹部を前記容器の略中央底面の感熱部に設け、前記温度センサ−を前記凹部に押圧付勢する付勢部材で装着固定したもので、絶縁材で覆われた温度センサーと容器の感熱部との接触面を最大限に大きくすることで、容器の温度を正確に検知することができる。
【０００７】
本発明の請求項２記載の発明は、外装体内に設けた有底状の容器と、前記容器の発熱部に固着した加熱装置と、カバーに絶縁材を介して載置された温度センサーを設けた温度検知素子と、前記温度検知素子からの電気的信号で前記加熱装置への通電を制御する制御基板とを備えるとともに、前記絶縁材で覆われた前記温度センサーおよび前記温度センサーリード部の形状に沿う略Ｕ字形の横長の凹部を前記容器の略中央底面の感熱部に設け、前記温度センサ−を前記凹部に押圧付勢する付勢部材で装着固定したもので、絶縁材で覆われた温度センサーおよび温度センサーリード部と容器の感熱部との接触面を最大限に大きくすることで、容器の温度をさらに正確に検知することができる。
【０００８】
本発明の請求項３記載の発明は、カバーに突起部を設け、絶縁材で覆われた温度センサーリード部を感熱部の凹部に押圧付勢することにより、絶縁材で覆われた温度センサーと容器の感熱部との密着性を向上させ、容器の温度をより正確に検知することができる。
【０００９】
本発明の請求項４記載の発明は、カバーに平面部を設け、容器の感熱部に設けた凹部周囲の平面部に近接させたもので、温度センサーと温度検知素子近傍を最大限遮蔽することにより、温度センサーへの輻射熱の影響を受けにくい構成とし、容器の温度をより正確に検知することができる。
【００１０】
本発明の請求項５記載の発明は、カバーに溝部を設け、絶縁材で覆われた温度センサーと前記カバーとの隙間を設けたもので、空気層を形成することによりカバーから温度センサーへの熱伝導を防ぐことができ、容器の温度をより正確に検知することができる。
【００１１】
本発明の請求項６記載の発明は、カバーに設けた遮蔽リブで温度センサーリード部とリード線を接続するカシメ部を絶縁するもので、部品点数を削減し安価に構成することができる。
【００１２】
本発明の請求項７記載の発明は、絶縁材と温度センサーとの間に良熱伝導性の材料を充填することにより、絶縁材から温度センサーへの熱伝導性が向上し、容器の温度をより正確に検知することができる。
【００１３】
本発明の請求項８記載の発明は、容器の感熱部に設けた凹部と絶縁材で覆われた温度センサーとの間に良熱伝導性の絶縁シートを設けることにより、絶縁材を薄くすることができ、容器の感熱部に設けた凹部の温度をより確実に温度センサーへ熱伝導でき、容器の温度を正確に検知することができる。
【００１４】
本発明の請求項９記載の発明は、カバーに筒状の遮熱リブを設けたもので、温度センサーと温度検知素子近傍をさらに遮蔽することにより、温度センサーへの輻射熱の影響を受けにくい構成とし、容器の温度をより正確に検知することができる。
【００１５】
【実施例】
以下、本発明の実施例について、図１〜図７を参照しながら説明する。
【００１６】
（実施例１）
図１〜図３において、２１は外装体２２内に設けた有底状の容器で、容器２１の底面の加熱部２１ａには加熱装置２３を固定し、容器２１の略中央底面の感熱部２１ｂには温度検知素子２４を載置している。２５は温度検知素子２４からの電気的信号で加熱装置２３への通電を制御する制御基板である。温度検知素子２は、カバー２９上部に絶縁材２７を介して載置した温度センサー２８で構成されている。容器２１の略中央底面の感熱部２１ｂに絶縁材２７で覆われた温度センサー２８および温度センサーリード部２８ａの形状に沿う略Ｕ字形の横長の凹部２１ｂアを設け、温度検知素子２４を容器２１の略中央底面の凹部２１ｂアに押圧付勢する付勢部材３０で装着固定している。
【００１７】
さらに、カバー２９上部に設けた突起部２９ａで絶縁材２７で覆われた温度センサーリード部２８ａを押圧付勢している。さらに、カバー２９上部に設けた平面部２９ｂを容器２１の凹部２１ｂア周囲の平面部２１ｂイに近接させ、カバー２９上部に設けた溝部２９ｃで絶縁材２７で覆われた温度センサー２８とカバー２９との隙間を設けている。
【００１８】
上記構成において、容器２１内に液体を収容し、通電を開始すると容器２１の底面の加熱部２１ａに固定された加熱装置２３が加熱され容器２１内の液体が加熱されるとともに、容器２１の略中央底面の感熱部２１ｂに載置した温度検知素子２４により所定の液温に制御される。
【００１９】
ここで、第１の実施例については、絶縁材２７で覆われた温度センサー２８および温度センサーリード部２８ａと容器２１の感熱部２１ｂとの接触面を最大限に大きくするため、容器２１の略中央底面の感熱部２１ｂに絶縁材２７で覆われた温度センサー２８および温度センサーリード部２８ａの形状に沿う略Ｕ字形の横長の凹部２１ｂアを設け、温度検知素子２４を容器２１の略中央底面の凹部２１ｂアに押圧付勢することにより、容器２１の温度変化に対する温度センサー２８の追随性を向上でき、しかも容器２１の温度と温度センサー２８の検知温度を近似させることができる。
【００２０】
さらに、カバー２９に設けた突起部２９ａで絶縁材２７で覆われた温度センサーリード部２８ａを容器２１の感熱部２１ｂに押圧付勢することにより、絶縁材２７で覆われた温度センサー２８と容器２１の感熱部２１ｂとの密着性を向上させ、容器２１の温度をより正確に検知することができる。
【００２１】
さらに、カバー２９に設けた平面部２９ｂを容器２１の感熱部２１ｂに設けた凹部２１ｂア周囲の平面部２１ｂイに近接させたもので、温度センサー２８と温度検知素子２４近傍を最大限遮蔽することにより、温度センサー２８への輻射熱の影響を受けにくい構成とし、容器２１の温度をより正確に検知することができる。
【００２２】
さらに、カバー２９に設けた溝部２９ｃで絶縁材２７で覆われた温度センサー２８とカバー２９との隙間を設けたもので、空気層を形成することによりカバー２９から温度センサー２８への熱伝導を防ぐことができ、容器２１の温度をより正確に検知することができる。
【００２３】
上記説明でわかるように、絶縁材２７で覆われた温度センサー２８と容器２１の感熱部２１ｂとの接触面を最大限に大きくし、さらに温度センサー２８と温度検知素子２４近傍を最大限遮蔽することにより、温度センサー２８への輻射熱の影響を受けにくい構成とし、容器２１の温度をより正確に検知することができ、沸騰時間を短縮して排出する蒸気量を低減できる。
【００２４】
（実施例２）
次に、本発明の第２の実施例について説明する。実施例２の形態を示す図４では、カバー２９に設けた遮蔽リブ２９ｄで温度センサーリード部２８ａとリード線を接続するカシメ部２８ｂを絶縁している。これにより、部品点数を削減し安価に構成することができる。
【００２５】
（実施例３）
次に、本発明の第３の実施例について説明する。実施例３の形態を示す図５では、絶縁材２７と温度センサー２８との間に良熱伝導性の材料３１を充填している。これにより、絶縁材２７から温度センサー２８への熱伝導性が向上し、容器２１の温度をより正確に検知することができる。
【００２６】
（実施例４）
次に、本発明の第４の実施例について説明する。実施例４の形態を示す図６では、容器２１の略中央底面の感熱部２１ｂに設けた凹部２１ｂイと温度センサー２８との間に良熱伝導性の絶縁シート３２を設けている。これにより、絶縁材２７を薄くすることができ、容器２１の感熱部２１ｂに設けた凹部２１ｂイの温度をより確実に温度センサー２８へ熱伝導でき，容器２１の温度を正確に検知することができる。
【００２７】
（実施例５）
次に、本発明の第５の実施例について説明する。実施例５の形態を示す図７では、カバー２９に筒状の遮熱リブ２９ｅを設けたものである。これにより、温度センサー２８と温度検知素子２４近傍をさらに遮蔽することにより、容器２１外の温度要因を受けにくい構成とし、容器２１の温度をより正確に検知することができる。
【００２８】
上記した各実施例は、電気湯沸かし器に用いて説明したが、他の電気機器に用いてもよいものである。
【００２９】
【発明の効果】
請求項１記載の発明によれば、容器の略中央底面の感熱部に絶縁材で覆われた温度センサーの形状に沿う略Ｕ字形の横長の凹部を設け、温度センサ−を容器の凹部に押圧付勢したもので、絶縁材で覆われた温度センサーと容器の感熱部との接触面を最大限に大きくすることで、容器の温度を正確に検知することができる。つまり、温度センサーへの輻射熱の影響を受けにくい構成とすることにより、容器の温度をより正確に検知することができ、沸騰時間を短縮して排出する蒸気量を低減できる。
【００３０】
請求項２記載の発明によれば、容器の略中央底面の感熱部に絶縁材で覆われた温度センサーおよび温度センサーリード部の形状に沿う略Ｕ字形の横長の凹部を設け、温度センサ−を容器の凹部に押圧付勢したもので、絶縁材で覆われた温度センサーおよび温度センサーリード部と容器の感熱部との接触面を最大限に大きくすることで、容器の温度をさらに正確に検知することができる。
【００３１】
請求項３記載の発明によれば、カバーに設けた突起部で絶縁材で覆われた温度センサーリード部を支持して、容器の感熱部に設けた凹部に押圧付勢することにより、絶縁材で覆われた温度センサーと容器の感熱部との密着性を向上させ、容器の温度をより正確に検知することができる。
【００３２】
請求項４記載の発明によれば、カバーに設けた平面部を容器の感熱部に設けた凹部周囲の平面部に近接させたもので、温度センサーと温度検知素子近傍を最大限遮蔽することにより、温度センサーへの輻射熱の影響を受けにくい構成とし、容器の温度をより正確に検知することができる。
【００３３】
請求項５記載の発明によれば、カバーに設けた溝部で絶縁材で覆われた温度センサーとカバーとの隙間を設けたもので、空気層を形成することにより、カバーから温度センサーへの熱伝導を防ぐことができ、容器の温度をより正確に検知することができる。
【００３４】
請求項６記載の発明によれば、カバーに設けた遮蔽リブで温度センサーリード部とリード線を接続するカシメ部を絶縁するもので、部品点数を削減し安価に構成することができる。
【００３５】
請求項７記載の発明によれば、絶縁材と温度センサーとの間に良熱伝導性の材料を充填することにより、絶縁材から温度センサーへの熱伝導性が向上し、容器の温度をより正確に検知することができる。
【００３６】
請求項８記載の発明によれば、容器の感熱部に設けた凹部と絶縁材で覆われた温度センサーとの間に良熱伝導性の絶縁シートを設けることにより、絶縁材を薄くすることができ、容器の感熱部に設けた凹部の温度をより確実に温度センサーへ熱伝導でき、容器の温度を正確に検知することができる。
【００３７】
請求項９記載の発明によれば、カバー筒状の遮熱リブを設けたもので、温度センサーと温度検知素子近傍をさらに遮蔽することにより、温度センサーへの輻射熱の影響を受けにくい構成とし、容器の温度をより正確に検知することができる。
【図面の簡単な説明】
【図１】（ａ）本発明の第１の実施例の電気湯沸かし器の容器の感熱部の斜視図
（ｂ）同、電気湯沸かし器の温度センサーの斜視図
（ｃ）同、電気湯沸かし器の温度検知部のカバーの斜視図
【図２】本発明の第１の実施例を示す電気湯沸かし器の概略断面図
【図３】本発明の第１の実施例を示す要部断面図
【図４】本発明の第２の実施例を示す要部断面図
【図５】（ａ）本発明の第３の実施例の電気湯沸かし器の容器の感熱部の斜視図
（ｂ）同、電気湯沸かし器の温度センサーの斜視図
（ｃ）同、電気湯沸かし器の温度検知部のカバーの斜視図
【図６】（ａ）本発明の第４の実施例の電気湯沸かし器の容器の感熱部の斜視図
（ｂ）同、電気湯沸かし器の温度センサーの斜視図
（ｃ）同、電気湯沸かし器の温度検知部のカバーの斜視図
【図７】本発明の第５の実施例を示す温度検知部近傍の断面図
【図８】従来例を示す電気湯沸かし器の概略断面図
【図９】（ａ）従来の電気湯沸かし器の感熱板部分の斜視図
（ｂ）同、電気湯沸かし器の温度センサーの斜視図
（ｃ）同、電気湯沸かし器の温度検知部のカバーの斜視図
【符号の説明】
２１  容器
２１ａ  発熱部
２１ｂ  感熱部
２１ｂア  凹部
２１ｂイ  平面部
２２  外装体
２３  加熱装置
２４  温度検知素子
２５  制御基板
２７  絶縁材
２８  温度センサー
２８ａ  リード部
２８ｂ  カシメ部
２９  カバー
２９ａ  突起部
２９ｂ  平面部
２９ｃ  溝部
２９ｄ  遮蔽リブ
２９ｅ  遮熱リブ
３０  付勢部材
３１  良熱伝導性の材料
３２  良熱伝導性の絶縁シート
【図１】
0003626850.tif 000002
【図２】
0003626850.tif 000003
【図３】
0003626850.tif 000004
【図４】
0003626850.tif 000005
【図５】
0003626850.tif 000006
【図６】
0003626850.tif 000007
【図７】
0003626850.tif 000008
【図８】
0003626850.tif 000009
【図９】
0003626850.tif 000010